(57)【要約】  一方の円柱パイプ５１が硬質プラスチックからなる第１と第２の保持体２０、３０の中空円柱部２１、３１に挿入され、他方の円柱パイプ５２が中空半円柱部２２、３２に挿入される。第１と第２のパイプ保持体はそれぞれ突合せ面２３、３３で合わされる。合わされた中空円柱部内部に挿入された円柱パイプ５１が締付け具６０を用いて中空円柱部に保持され、合わされて中空円柱となった円柱部内部に挿入された円柱パイプ５２が締付け具６０を用いて中空半円柱部に保持される。
2019230398.tif 000002
【特許請求の範囲】
【請求項１】
２つの円柱パイプを交差させて連結するパイプ連結具において、
一方の円柱パイプを内部に挿入可能な中空円柱部と、他方の円柱パイプの径方向半分を挿入可能な断面が半円形の中空半円柱部と、突合せ面とを有し、該突合せ面において中空半円柱部の直径側端面と中空円柱部の一方側端面が同一面となっていて、中空円柱部と中空半円柱部が両円柱パイプの交差角度に応じて交差する硬質プラスチック製の第１のパイプ保持体と、
前記一方の円柱パイプを内部に挿入可能な中空円柱部と、他方の円柱パイプの他の径方向半分を挿入可能な中空半円柱部と、突合せ面とを有し、該突合せ面において中空半円柱部の直径側端面と中空円柱部の一方側端面が同一面となっていて、中空円柱部と中空半円柱部が両円柱パイプの交差角度に応じて交差する硬質プラスチック製の第２のパイプ保持体と、
第１及び／又は第２のパイプ保持体の中空円柱部外周を締め付ける締付け具と、
第１と第２のパイプ保持体の中空半円柱部外周を締め付ける締付け具と、を備え、
前記第１と第２のパイプ保持体は、中空円柱部のそれぞれの端面が合わされてその内部に一方の円柱パイプが保持され、また、それぞれの中空半円柱部の端面が合わされて中空円柱となった円柱部内部に他方の円柱パイプが保持されるように、各突合せ面が合わされ、
前記第１及び／又は第２のパイプ保持体は、前記中空円柱部外周を締め付ける締付け具により締め付けられて内部に挿入されている一方の円柱パイプを保持し、前記第１と第２のパイプ保持体は、前記中空半円柱部外周を締め付ける締付け具により締め付けられて内部に挿入されている他方の円柱パイプを保持することを特徴とするパイプ連結具。
【請求項２】
前記中空円柱部外周を締め付ける締付け具が、ホースバンドであることを特徴とする請求項１に記載のパイプ連結具。
【請求項３】
前記中空円柱部外周を締め付ける締付け具が、中空円柱部の端部に圧入され、一方の円柱パイプを通すことができるキャップであることを特徴とする請求項１に記載のパイプ連結具。
【請求項４】
前記中空半円柱部外周を締め付ける締付け具が、ホースバンドであることを特徴とする請求項１に記載のパイプ連結具。
【請求項５】
前記中空半円柱部外周を締め付ける締付け具が、合わされた中空半円柱部の端部に圧入され、他方の円柱パイプを通すことができるキャップであることを特徴とする請求項１に記載のパイプ連結具。
【請求項６】
前記第１及び／又は第２のパイプ保持体の中空円柱部に、一方の円柱パイプの挿入を容易にし、保持力を高めるための切り込み部を軸方向に一つ又は複数形成したことを特徴とする請求項１から５のいずれか１項に記載のパイプ連結具。
【請求項７】
請求項１から６のいずれか１項に記載のパイプ連結具を用いて２本の円柱パイプを交差して連結するパイプ連結方法において、
一方の円柱パイプを第１と第２の保持体の中空円柱部に挿入し、
他方の円柱パイプを、第１と第２の保持体のいずれか一方のパイプ保持体に挿入し、
中空円柱部のそれぞれの端面が合わされてその内部に一方の円柱パイプが保持され、また、それぞれの中空半円柱部の端面が合わされて中空円柱となった円柱部内部に他方の円柱パイプが保持されるように、第１と第２のパイプ保持体の各突合せ面を合わせ、
第１及び／又は第２のパイプ保持体の中空円柱部外周を締付け具により締め付けて内部に挿入されている一方の円柱パイプを保持させ、第１と第２のパイプ保持体の中空半円柱部外周を締付け具により締め付けて内部に挿入されている他方の円柱パイプを保持させることを特徴とするパイプ連結方法。
【発明の詳細な説明】
【技術分野】
【０００１】
本発明は、２本の円柱パイプを交差させて連結するパイプ連結具及びパイプ連結方法に関する。
【背景技術】
【０００２】
仮設足場や土木建設場において、一対のクランプ部材を用いてそれぞれパイプをクランプし、両クランプ部材を回動させることによりクランプされたパイプの交差角度を変えてパイプを連結する連結金具が知られている（下記特許文献１）。【０００３】
また、Ｕ字形状に折り曲げられた部材の上部でパイプを保持するとともに、折り曲げられた部分に形成された受け部でパイプを保持し、両パイプ間にクサビを圧入してパイプを連結する連結金具が知られている（下記特許文献２）。【０００４】
また、従来から、セグメントを周方向に連結して管ユニットを組み立て、管ユニットを管長方向に連結して成る更生管を用いて既設管を更生する工法が知られている。この工法では、既設管内にセグメントを組み立てて更生管を構築してから、既設管と更生管との間に充填した充填材が硬化するまでの間、更生管内に支保工を組み立て、更生管の変形を防止している（下記特許文献３）。
【先行技術文献】
【特許文献】
【０００５】
【特許文献１】特開２０１４−１２５８５０号公報
【特許文献２】特開２００８−３８９４２号公報
【特許文献３】特開２０１５−２４５６１号公報
【発明の概要】
【発明が解決しようとする課題】
【０００６】
更生管内での支保工の組み立ては、金属製のパイプを交差させ連結金具で連結する作業を狭い更生管内で行う必要があり、連結金具が重いこともあって、支保工を組み立てる作業効率を悪くしている、という問題があった。また、連結箇所が多数あり、連結に時間がかかる、という問題もあった。【０００７】
本発明は、このような問題点を解決するためになされたもので、２本の円柱パイプを交差させて簡単に連結できる軽量なパイプ連結具及びパイプ連結方法を提供することを課題とする。
【課題を解決するための手段】
【０００８】
本発明（請求項１）は、
２つの円柱パイプを交差させて連結するパイプ連結具において、
一方の円柱パイプを内部に挿入可能な中空円柱部と、他方の円柱パイプの径方向半分を挿入可能な断面が半円形の中空半円柱部と、突合せ面とを有し、該突合せ面において中空半円柱部の直径側端面と中空円柱部の一方側端面が同一面となっていて、中空円柱部と中空半円柱部が両円柱パイプの交差角度に応じて交差する硬質プラスチック製の第１のパイプ保持体と、
前記一方の円柱パイプを内部に挿入可能な中空円柱部と、他方の円柱パイプの他の径方向半分を挿入可能な中空半円柱部と、突合せ面とを有し、該突合せ面において中空半円柱部の直径側端面と中空円柱部の一方側端面が同一面となっていて、中空円柱部と中空半円柱部が両円柱パイプの交差角度に応じて交差する硬質プラスチック製の第２のパイプ保持体と、
第１及び／又は第２のパイプ保持体の中空円柱部外周を締め付ける締付け具と、
第１と第２のパイプ保持体の中空半円柱部外周を締め付ける締付け具と、を備え、
前記第１と第２のパイプ保持体は、中空円柱部のそれぞれの端面が合わされてその内部に一方の円柱パイプが保持され、また、それぞれの中空半円柱部の端面が合わされて中空円柱となった円柱部内部に他方の円柱パイプが保持されるように、各突合せ面が合わされ、
前記第１及び／又は第２のパイプ保持体は、前記中空円柱部外周を締め付ける締付け具により締め付けられて内部に挿入されている一方の円柱パイプを保持し、前記第１と第２のパイプ保持体は、前記中空半円柱部外周を締め付ける締付け具により締め付けられて内部に挿入されている他方の円柱パイプを保持することを特徴とする。
また、本発明は、請求項１から６のいずれか１項に記載のパイプ連結具を用いて２本の円柱パイプを交差して連結するパイプ連結方法において、
一方の円柱パイプを第１と第２の保持体の中空円柱部に挿入し、
他方の円柱パイプを、第１と第２の保持体のいずれか一方のパイプ保持体に挿入し、
中空円柱部のそれぞれの端面が合わされてその内部に一方の円柱パイプが保持され、また、それぞれの中空半円柱部の端面が合わされて中空円柱となった円柱部内部に他方の円柱パイプが保持されるように、第１と第２のパイプ保持体の各突合せ面を合わせ、
第１及び／又は第２のパイプ保持体の中空円柱部外周を締付け具により締め付けて内部に挿入されている一方の円柱パイプを保持させ、第１と第２のパイプ保持体の中空半円柱部外周を締付け具により締め付けて内部に挿入されている他方の円柱パイプを保持させることを特徴とする。
【発明の効果】
【０００９】
本発明によれば、一方の円柱パイプは、第１と第２のパイプ保持体の中空円柱部の軸方向長さに渡ってその全周面において堅固に保持され、また、他方の円柱パイプは、第１と第２のパイプ保持体の中空半円柱部の軸方向長さに渡ってその全周面において堅固に保持されるので、２本の円柱パイプを堅固に連結することができる。また、本発明では、第１と第２のパイプ保持体は硬質プラスチックでできているので、軽量で、パイプの連結が簡単になる。
【図面の簡単な説明】
【００１０】
【図１】本発明の実施例に係るパイプ連結具の外観を示す斜視図である。
【図２】パイプ連結具を２つのパイプ保持体に分離したときの斜視図である。
【図３ａ】一方のパイプ保持体の正面図である。
【図３ｂ】一方のパイプ保持体の底面図である。
【図３ｃ】一方のパイプ保持体の背面図である。
【図４ａ】一方のパイプ保持体の右側面図である。
【図４ｂ】一方のパイプ保持体の左側面図である。
【図５ａ】他方のパイプ保持体の正面図である。
【図５ｂ】他方のパイプ保持体の底面図である。
【図５ｃ】他方のパイプ保持体の背面図である。
【図６ａ】他方のパイプ保持体の右側面図である。
【図６ｂ】他方のパイプ保持体の左側面図である。
【図７】２本の円柱パイプを連結する過程を示した斜視図である。
【図８】連結された２本の円柱パイプを示す斜視図である。
【図９】締付け具の一実施例を示す側面図である。
【図１０】締付け具の他の実施例を示す側面図である。
【図１１】異なる締付け具を用いて２本の円柱パイプを連結した状態を示す斜視図である。
【図１２】パイプ連結具を支保工に用いたときの説明図である。
【図１３】２本の円柱パイプを直角と異なる角度で交差させて連結する連結具を示す斜視図である。
【図１４】２本の円柱パイプを直角と異なる角度で交差させて連結した状態を示す斜視図である。
【発明を実施するための形態】
【００１１】
以下に本発明を、添付図面に示す実施例に基づいて説明する。本発明は、更生管内に支保工を組み立てるとき、あるいは仮設足場や土木建設場においてパイプを交差させて連結するときに用いられるが、他の分野でパイプを交差させて連結し、連結したパイプで物体を支持するような技術分野にも応用できるものである。
【実施例】
【００１２】
本実施例に係る連結具１０は、それぞれ硬質プラスチックからなる第１のパイプ保持体２０と第２のパイプ保持体３０を有し、図１には、第１と第２のパイプ保持体２０、３０が突き合わされた状態で、図２には、分離された状態で図示されている。硬質プラスチックとしては、硬質塩化ビニル、硬質ポリプロピレン、硬質ポリカーボネート、硬質ＡＢＳ、硬質ＰＥＴなどが挙げられる。【００１３】
第１のパイプ保持体２０は、それぞれ２本の円柱パイプを内部に挿入することができる中空円柱部を交差させたパイプ保持体の一方の中空円柱部を、断面が半円形の中空半円柱部となるように、２体に切断したときの一方のパイプ保持体に相当し、第２のパイプ保持体３０は、その他方のパイプ保持体に相当する。本実施例では、連結される２本の円柱パイプは、その外径ｄ２（図７）が同じになっている。なお、本明細書において、中空円柱部、中空半円柱部とは、中空になった内部の形状が円柱部、半円柱部になっていることを表現している。【００１４】
第１のパイプ保持体２０は、図３ａ、図３ｂ、図３ｃ、図４ａ、図４ｂに示したように、連結される一方の円柱パイプの外径ｄ２より僅かに大きな内径ｄ１の中空円柱部２１を有し、この中空円柱部２１内に、当該一方の円柱パイプを挿入することができる。【００１５】
また、第１のパイプ保持体２０は、連結すべき２本の円柱パイプの交差角度に応じた角度、本実施例では、９０度の角度で中空円柱部２１と交差し、中空円柱部２１と一体に形成された断面が半円形の中空半円柱部２２を有する。中空半円柱部２２の内径は、図３ｃに示したように、他方の円柱パイプの外径ｄ２より僅かに小さな内径ｄ１’を有し、他方の円柱パイプのほぼ径方向半分を挿入することができる。【００１６】
第１のパイプ保持体２０の一方側は、後述するように、第２のパイプ保持体３０と突き合わされる突合せ面２３となっていて、図４ａ、図４ｂに示したように、突合せ面２３で、中空円柱部２１の一方側端面２１ａと中空半円柱部２２の直径側の端面２２ａ、２２ｂ（図２で右側の面、図３ｃでは紙面）が同一面となっている。【００１７】
第１のパイプ保持体２０の突合せ面２３と反対側には、中空半円柱部２２の半円湾曲部があり、中空円柱部２１は該湾曲部より延びて他方側端面２１ｂを形成している。【００１８】
中空半円柱部２２の長さ方向の一端面２２ｃ側には、取付部２２ｄが設けられ、この取付部２２ｄに、後述するように、第１と第２のパイプ保持体２０、３０の中空半円柱部を締め付ける締付け具が取り付けられる。この取付部２２ｄの両側で、中空半円柱部２２は大口径部２２ｅ、２２ｆとなっている。また、中空半円柱部２２の長さ方向の他端面２２ｇ側は、後述する締付け具としてのキャップが挿着しやすいように、傾斜面２２ｈとなっている。【００１９】
中空円柱部２１は、中空半円柱部２２と、その長さ方向の中心とずれた位置で交差しており、図３ｃに示したように、中空半円柱部２２の一端面２２ｇから中空円柱部２１の中心を通る垂直面までの距離ｗ１は、他端面２２ｃから同垂直面までの距離ｗ２より短くなっている。また、図４ａに示したように、中空円柱部２１の端面２１ａ、２１ｂ間の距離は、ｗ１となっている。【００２０】
第２のパイプ保持体３０は、図５ａ、図５ｂ、図５ｃ、図６ａ、図６ｂに示したように、連結される他方の円柱パイプの外径ｄ２より僅かに大きな内径ｄ１の中空円柱部３１を有し、この中空円柱部３１内に、当該他方の円柱パイプを挿入することができ、第１のパイプ保持体２０の中空円柱部２１と同様な形状となっている。なお、中空円柱部３１には、円柱パイプの挿入を容易にし、保持力を高めるための切り込み部３１ｃが軸方向に形成されている。【００２１】
また、第２のパイプ保持体３０は、連結すべき２本の円柱パイプの交差角度に応じた角度、本実施例では、９０度の角度で中空円柱部３１と交差し、中空円柱部３１と一体に形成された断面が半円形の中空半円柱部３２を有する。中空半円柱部３２の内径ｄ１’は、図５ｃに示したように、他方の円柱パイプの外径ｄ２より僅かに小さく、他方の円柱パイプの他方のほぼ径方向半分を挿入することができる。中空半円柱部３２は、第１のパイプ保持体２０の中空半円柱部２２と、中空円柱部３１の径方向断面に関して面対称となっている。【００２２】
第２のパイプ保持体３０の一方側は、後述するように、第１のパイプ保持体２０と突き合わされる突合せ面３３となっていて、図６ａ、図６ｂに示したように、突合せ面３３で、中空円柱部３１の一方側端面３１ａと中空半円柱部３２の直径側の端面３２ａ、３２ｂ（図２で左側の面、図５ｃでは紙面）が同一面となっている。【００２３】
第２のパイプ保持体３０の突合せ面３３と反対側には、中空半円柱部３２の半円湾曲部があり、中空円柱部３１は該湾曲部より延びて他方側端面３１ｂを形成している。【００２４】
中空半円柱部３２の長さ方向の一端面３２ｃ側には、取付部３２ｄが設けられ、この取付部３２ｄに、後述するように、第１と第２のパイプ保持体２０、３０の中空半円柱部２２、３２を締め付ける締付け具が取り付けられる。この取付部３２ｄの両側で、中空半円柱部３２は大口径部３２ｅ、３２ｆとなっており、中空半円柱部３２の長さ方向の他端面３２ｇ側は、後述するキャップが挿着しやすいように、傾斜面３２ｈとなっている。【００２５】
中空円柱部３１は、中空半円柱部３２と、その長さ方向の中心とずれた位置で交差しており、図５ｃに示したように、中空半円柱部３２の一端面３２ｇから中空円柱部３１の中心を通る垂直面までの距離ｗ１は、他端面３２ｃから同垂直面までの距離ｗ２より短くなっている。また、図６ａに示したように、中空円柱部３１の端面３１ａ、３１ｂ間の距離は、ｗ２となっている。【００２６】
このような構成により、第１と第２のパイプ保持体２０、３０は、中空円柱部２１、３１のそれぞれの端面２１ａ、３１ａが同一になり、中空円柱部２１、３１が合わされてその内部に一方の円柱パイプを保持することができるように、突合せ面２３、３３を突き合わせることができ、そのとき、第１のパイプ保持体２０の中空半円柱部２２の端面２２ａ、２２ｂが第２のパイプ保持体３０の中空半円柱部３２の端面３２ａ、３２ｂと合って中空円柱部が形成され、その内部に他方の円柱パイプを保持することができるようになる。【００２７】
図７、図８には、第１と第２のパイプ保持体２０、３０により、円柱パイプ５１、５２を連結する状態が図示されている。中空円柱部２１、３１の内径ｄ１は、上述したように、円柱パイプ５１の外径ｄ２より僅かに大きくなっているので、図７に示したように、円柱パイプ５１を、中空円柱部３１、２１に挿入することができ、また、中空半円柱部２２の内径ｄ１’は、円柱パイプ５２の外径ｄ２より僅かに小さく、円柱パイプ５２のほぼ径方向半分を中空半円柱部２２に挿入することができる。【００２８】
続いて、図８に示したように、中空円柱部２１、３１の端面２１ａ、３１ａを合わせて円柱パイプ５１を保持する。また、中空半円柱部２２の端面２２ａ、２２ｂと中空半円柱部３２の端面３２ａ、３２ｂが合わされて中空円柱部が形成されるので、その内部に円柱パイプ５２を保持する。なお、中空半円柱部２２、３２の内径ｄ１’は、円柱パイプ５２の外径ｄ２より僅かに小さいので、中空半円柱部２２の端面２２ａ、２２ｂと中空半円柱部３２の端面３２ａ、３２ｂは完全には突き合わされず、端面２２ａ、２２ｂと端面３２ａ、３２ｂ間には、ｄ２とｄ１’の差に応じた僅かな隙間が発生する。この状態で、図９に示した締付け具６０を用いて、円柱パイプ５１、５２を第１と第２のパイプ保持体２０、３０に確実に保持するようにする。【００２９】
締付け具６０は、可撓性のある金属製のバンド６１の両端６１ａ、６１ｂにナット６３、６４を固定し、一方のナット６３にボルト６２を通す穴を設け、他方のナット６４にボルト６２のネジ部と螺号するネジ部を設けたホースバンドとして構成される。バンド６１の径は、ボルト６２を、ナット６３、６４が接触するまでナット６４にねじ込むと、中空円柱部３１の外径、あるいは合わせた中空半円柱部２２、３２の外径より小さくなり、ボルト６２がナット６４から抜かれた場合には、当該外径より大きくなって、バンド６１が、中空円柱部３１の外周あるいは中空半円柱部２２、３２の取付部２２ｄ、３２ｄに取り付けることができるようになっている。【００３０】
図８に示したように、締付け具６０を、第２のパイプ保持体３０の中空円柱部３１の端部外周に取り付け、ボルト締めすると、中空円柱部３１には、図５ａ、図５ｂに図示したように、切り込み部３１ｃ（図８では不可視）が形成されているため、中空円柱部３１がたわみ、そのたわみにより、中空円柱部３１が中空円柱部３１内に挿入されている円柱パイプ５１を押し付け、円柱パイプ５１が中空円柱部３１内に堅固に保持されるようになる。【００３１】
また、締付け具６０を、第１と第２のパイプ保持体２０、３０の中空半円柱部２２、３２に設けられた取付部２２ｄ、３２ｄに取り付けて、ボルト締めすると、中空半円柱部２２、３２の端面２２ａ、２２ｂと端面３２ａ、３２ｂ間に発生していた隙間が減少して、その内部に保持された円柱パイプ５２が締め付けられ、円柱パイプ５２が中空半円柱部２２、３２内に堅固に保持されるようになる。【００３２】
このように、第１と第２のパイプ保持体２０、３０は締付け具６０による締付け力で堅固に連結されており、また、その内部に保持された円柱パイプ５１、５２は、中空円柱部３１、中空半円柱部２２、３２の軸方向長さに渡ってその全周面で堅固に保持されるので、円柱パイプ５１、５２を、堅固に連結することが可能になる。【００３３】
なお、円柱パイプ５１に対する保持力を高めるために、中空円柱部３１に切り込み部３１ｃを複数設けるようにしてもよい。切り込み部を多数設けることによって、中空円柱部３１がよりたわむようになるので、円柱パイプ５１をより強固に保持することができる。また、切り込み部を中空円柱部３１だけでなく、中空円柱部２１にも、一つあるいは複数形成し、中空円柱部２１を締付け具６０で締め付け、円柱パイプ５１を中空円柱部２１においても保持させることができる。このように、締付け具６０は、中空円柱部３１あるいは中空円柱部２１の一方、あるいは両方に設け、それぞれの外周を締め付けるようにすることができる。【００３４】
また、円柱パイプ５２に対する保持力を高めるために、円柱パイプ５１の外径ｄ２と中空半円柱部２２、３２の内径ｄ１’の差を大きくするようにしてもよい。円柱パイプ５２は、円柱パイプ５１のように、全体が挿入されるのではなく、半分ずつ挿入されるので、中空半円柱部２２、３２に挿入させることが容易であり、パイプを挿入することができる範囲内でｄ２とｄ１’の差を大きくすると、円柱パイプ５１に対する保持力をさらに高めることができる。【００３５】
なお、締付け具として、図１０に示したようなキャップ７０を用いるようにしてもよい。キャップ７０は、中空円柱部２１、３１あるいは合わされ中空半円柱部２２、２３の外部に圧入できる内径がｄ３の中空円柱部７０ａを有する。また、キャップ７０は、中空円柱部７０ａと反対側に、円柱パイプ５１、５２の外径ｄ２より僅かに大きな径ｄ４を有し、円柱パイプ５１、５２を通すことができる中空円柱部７０ｂを有している。【００３６】
図１１には、締付け具６０に代えて、キャップ７０を用いて第１と第２の保持体２０、３０の中空半円柱部２２、３２を締め付ける実施例が図示されている。キャップ７０は、円柱パイプ５２の一方端部から中空円柱部７０ｂを通して中空半円柱部２２、３２の端部に圧入され、当該端部を締め付ける。この締付けにより、内部に挿入された円柱パイプ５２が締め付けられて、中空半円柱部２２、３２に堅固に保持される。【００３７】
なお、図８に示したように、ホースバンド型の締付け具６０で、一方端部を締め付けるとともに、図１１に示したように、キャップ７０を用いて他方端部を締め付けるようにしてもよい。この場合には、中空半円柱部２２、３２の両端部で、締め付けが行われるので、更に堅固なパイプ連結が可能になる。【００３８】
図１２には、円柱パイプ５１、５２を直角に交差させて連結し、下水道などの既設管内に敷設されたセグメントからなる更生管の変形を防止する支保工に応用した例が図示されている。同図において、円柱パイプ５１は、第１と第２のパイプ保持体２０、３０の中空円柱部２１、３１に挿入され、ホースバンド型の締付け具６０により締め付けられて中空円柱部２１、３１に保持される。また、円柱パイプ５２は、第１と第２のパイプ保持体２０、３０の突き合わされた中空半円柱部２２、３２内に挿入され、キャップ７０型の締付け具により締め付けられて中空半円柱部２２、３２に保持される。円柱パイプ５１、５２は、径方向に同距離に延びて端部がセグメント８０に当たり、セグメント８０を支える。円柱パイプ５１、５２は、中空円柱部２１、３１、中空半円柱部２２、３２の軸方向長さに渡って、その全周面で堅固に保持されるので、既設管と更生管の間に充填材が注入され、個々のセグメント８０に充填材注入による荷重がかかっても、更生管の変形を防止することができる。また、第１と第２のパイプ保持体２０、３０はプラスチックでできているので、軽量であり、暗い既設管の内部でも、支保工を組み立てることが容易になる。【００３９】
図１３、図１４には、円柱パイプ５１、５２を斜交させて連結する実施例が図示されている。同図では、第１の保持体２０の中空円柱部２１´、３１´が、第１と第２のパイプ保持体２０、３０の中空半円柱部２２、３２と直角からやや左に傾斜した角度で交差している。突合せ面での中空円柱部２１´、３１´の端面の位置並びに形状が、交差角度に応じて変化するだけで、直交する場合とその構成、機能は同様であり、同じ効果が得られる。
【符号の説明】
【００４０】
１０  連結具
２０  第１の保持体
２１  中空円柱部
２２  中空半円柱部
２３  突合せ面
３０  第２の保持体
３１  中空円柱部
３２  中空半円柱部
３３  突合せ面
５１、５２  円柱パイプ
６０  締付け具
６１  バンド
７０  キャップ
８０  セグメント
´
【図１】
2019230398.tif 000003
【図２】
2019230398.tif 000004
【図３ａ】
2019230398.tif 000005
【図３ｂ】
2019230398.tif 000006
【図３ｃ】
2019230398.tif 000007
【図４ａ】
2019230398.tif 000008
【図４ｂ】
2019230398.tif 000009
【図５ａ】
2019230398.tif 000010
【図５ｂ】
2019230398.tif 000011
【図５ｃ】
2019230398.tif 000012
【図６ａ】
2019230398.tif 000013
【図６ｂ】
2019230398.tif 000014
【図７】
2019230398.tif 000015
【図８】
2019230398.tif 000016
【図９】
2019230398.tif 000017
【図１０】
2019230398.tif 000018
【図１１】
2019230398.tif 000019
【図１２】
2019230398.tif 000020
【図１３】
2019230398.tif 000021
【図１４】
2019230398.tif 000022
【国際調査報告】
2019230398.tif 000023
2019230398.tif 000024
2019230398.tif 000025
2019230398.tif 000026